(57)【特許請求の範囲】
【請求項１】
ケース内において、電磁ソレノイド機構における鉄心の磁力による吸引作用を受けて可動鉄片を揺動可能に支持させると共に、該可動鉄片の揺動により可動接触片及び固定接触片を有する電気接点開閉機構の開閉動作を行うように構成した電磁継電器であって、前記可動鉄片を略Ｌ字状を呈するように互いに一体に形成した鉄心動作受け片部と可動接触片揺動片部と、さらには、前記可動鉄片を常時鉄心対向片部側に揺動するように一端が電磁ソレノイド取付け片に取着された板ばねとにより構成し、前記鉄心動作受け片部を前記鉄心に対向配置すると共に、前記可動接触片揺動片部を前記可動接触片の揺動作を司るように配置して、前記鉄心の磁力による吸引作用が働く方向に対して交差する方向に前記可動接触片を揺動させて、前記電気接点開閉機構の開閉動を行うように構成したことを特徴とする電磁継電器。
【請求項２】
前記可動鉄片の可動接触片揺動片部にカード片を取り付けて、該カード片により前記電気接点開閉機構の開閉動を行うように構成したことを特徴とする請求項１記載の電磁継電器。
【発明の詳細な説明】
【技術分野】
【０００１】
本発明は、電磁ソレノイド機構の励磁或いは消磁により可動鉄片を駆動し、可動接触片及び固定接触片を有する電気接点開閉機構の開閉動作を行うように構成した電磁継電器に関するものである。
【背景技術】
【０００２】
従来、この種の電磁継電器として、図８乃至図１１に示すものが知られている(特許文献１参照)。
【特許文献１】実用新案登録第２５５７７１１号公報。
【０００３】
図８乃至図１１によれば、電磁継電器は、ベース１とケース２とを組み合わせることによって構成された収容部内に、電気接点開閉機構３とこの電気開閉動を司る電磁ソレノイド機構４を配置して構成している。
【０００４】
電気接点開閉機構３は、ベース１に互いに対向するように設置し、それぞれ固定接点３１ａ、３２ａを有する常閉固定接触片３１及び常開固定接触片３２と、後述の可動鉄片４１に揺動可能に取り付けられ、一端側に可動接点３３ａを有する可動接触片３３とで構成され、可動接触片３３の可動接点３３ａが固定接点３１ａ、３２ａ間を選択的に接離することによって、電気開閉動を司っている。
【０００５】
電磁ソレノイド機構４は、コイルを主体として構成する電磁ブロック４２と、電磁ブロック４２の励磁及び消磁により可動鉄片４１を揺動させる鉄心４３および鉄心４３の吸引により揺動するようにソレノイド取付け片３４に取り付けられた可動鉄片４１とを有して構成している。
【０００６】
可動鉄片４１は、その鉄心対向片部４１ａをＩ字状を呈して構成しており、鉄心対向片部の上端側が、ケース２の上面部２ａ側に位置する一端がベース１に電磁ブロック４２を覆うように取り付けられたＬ字状の取付け片５に止着された復帰ばね６の他端側を止着されて、また、鉄心対向片部４１ａには、可動接触片３３の中間部を止着している。
【０００７】
可動接触片３３の一端側は、ベース１側(ケース２の下部側)に延在して、可動接点３３ａが取付けてあり、可動接点３３ａは常時は常閉固定接触片３１側の固定接点３１ａ側に投入接続している。
【０００８】
可動接触片３３の他端側は、ケース２の上面部２ａ側に延在しており、コモンリード線７の一端垂直片部７ａ側に接続している。
【０００９】
コモンリード線７の他端側は、略逆Ｌ字状に折曲形成しており、逆Ｌ字状折曲部７ｂをベース１側(ケース２の下部側)まで延在して、一端がベース１より外部に突出している接続端子１０に接続している。
【００１０】
そして、可動鉄片４１による可動接触片３３の動作は、インジケータ片８によって確認することができるように構成されている。即ち、インジケータ片８は、略枠体形状を呈しており、上端連設部中央に表示片８ａが形成されており、表示片８ａの先端は略直角に折り曲げられて、視認部８ｂを構成している。インジケータ片８の両側部脚片８ｃの下端には、両側部脚片８ｃの対向方向に突出する支軸８ｄが設けられており、支軸８ｄは、インジケータ片８が可動鉄片４１の鉄心対向片部４１ａに形成された揺動突起４１ｂの揺動に従ってやはりベース１に対して揺動する可能に構成すべく、図示しないがベース１に取り付けられている。インジケータ片８は、支軸８ｄを支点として、揺動可能に構成されている。また、ケース２の上面部２ａには、表示窓９が形成されている。
【００１１】
従って、図９及び図１１に示すように、電磁ソレノイド機構４の消磁状態においては、復帰ばね６の付勢力により、可動鉄片４１は、鉄心４３に対して離間し、可動接触片３３の可動接点３３ａを常閉固定接触片３１の固定接点３１ａ側に投入接続させた状態となっている(図９及び図１１参照)。
【００１２】
この時、インジケータ片８は、表示片８ａの視認部８ｂが表示窓９よりケース２内部側に引っ込んでいることから、外部より視認することができず、電気接点開閉機構３の非作動状態を表示している。
【００１３】
このような消磁状態から電磁ソレノイド機構４に電気を導入して励磁状態にすると、電気ソレノイド機構４の励磁により鉄心４３が可動鉄片４１を吸引し、可動鉄片４１を復帰ばね６の付勢力に抗して揺動させて、可動接触片３３を揺動させることによって、可動接点３３ａを常閉固定接触片３１の固定接点３１ａから常開固定接触片３２の固定接点３２ａ側に投入接続されることになる。
【００１４】
この結果、インジケータ片８は支軸８ｄを支点としてやはり揺動することになって、インジケータ片８の視認部８ｂが、表示窓９に対向する位置に移動して、ケース２の外部から、電気接点開閉機構３の作動状態を視認できることになる(図１０及び図１２参照)。
【発明の開示】
【発明が解決しようとする課題】
【００１５】
このように構成する従来の電磁継電器によれば、可動鉄片４１の鉄心対向片部４１ａを略Ｉ字状に形成し、鉄心対向片部４１ａに並置するように可動接触片３３を配置していることから、可動接触片３３が電磁ソレノイド機構４の鉄心４３の動作方向に対して交差する方向に配置せざるを得ず、この結果、可動接点３３ｂがベース１側に位置すると共に、ベース１に設けた接触端子１０とを接続するために、コモンリード線７を必要とし、しかも、コモンリード線７は、ケース２の上面部２ａ側において可動接触片３３と接触すると共に、ベース１側において接続端子１０に接続するためには、ベース１及びケース２が形成する収容部の上下間にわたって這設されることになって、当該収容部内においてコモンリード線７の占有容積によって、電磁ソレノイド機構４のコイル容量を制限してしまう。
【００１６】
このようにコイル容量が制限されるために、コイルの巻数と巻線径との関係により巻線径が制限され、励磁時の通電電流許容が小さくなる。このために、電磁ソレノイド機構のコイル温度上昇が高くなって周囲温度または盤内温度が高くなる雰囲気では電磁継電器としては使用に限界が生じ、また、コモンリード線７の取付け工数が必要となり、電磁継電器のコストアップの要因ともなってしまう。
【００１７】
そこで、本発明はかかる従来の課題を改善するために案出されたもので、コイルの温度上昇が低く、コモンリード線を廃止しても構成可能な電磁継電器を提供することを目的としている。
【課題を解決するための手段】
【００１８】
上記目的を達成するために、本発明に係る電磁継電器は、電磁ソレノイド機構における鉄心の磁力による吸引作用を受けて可動鉄片を揺動可能に支持させると共に、該可動鉄片の揺動により可動接触片及び固定接触片を有する電気接点開閉機構の開閉動作を行うように構成した電磁継電器であって、前記可動鉄片を略Ｌ字状を呈するように互いに一体に形成した鉄心動作受け片部と可動接触片揺動片部と、さらには、前記可動鉄片を常時鉄心対向片部側に揺動するように一端が電磁ソレノイド取付け片に取着された板ばねとにより構成し、前記鉄心動作受け片部を前記鉄心に対向配置すると共に、前記可動接触片揺動片部を前記可動接触片の揺動作を司るように配置して、前記鉄心の磁力による吸引作用が働く方向に対して交差する方向に前記可動接触片を揺動させて、前記電気接点開閉機構の開閉動を行うように構成したことを特徴とする。
【００１９】
本発明に係る電磁継電器によれば、可動鉄片を略Ｌ字状を呈するように互いに一体に形成した鉄心動作受け片部と可動接触片揺動片部とにより構成し、鉄心動作受け片部を鉄心に対向配置すると共に、可動接触片揺動片部を可動接触片の揺動作を司るように配置して、鉄心の作動方向に対して交差する方向に可動接触片を揺動させて、電気接点開閉機構の開閉動を行うように構成したことから、可動接触片を電磁ソレノイド機構の鉄心の動作方向に並行に配置することができ、この結果、可動接触片における接続端子との接続端部側を、接続端子側に直接装着できる位置まで近接することができ、従来のコモンリード線を廃止して、可動接触片を接続端子に直接装着することができ、ベース及びケースが構成する収容部における省スペース化が可能となり、しかも、省スペース化した部分を利用して、電磁ソレノイド機構のコイル容量を大型化することができて、コイルの温度上昇が低い電磁継電器として構成することができ、また、コモンリード線の取付け工数をなくして生産性の向上を図って電磁継電器のコスト軽減が期待できる。
【００２０】
また、本発明は、上記のように構成する電磁継電器において、前記可動鉄片の可動接触片揺動片部にカード片を取り付けて、該カード片により前記電気接点開閉機構の開閉動を行うように構成したことを特徴とする。
【００２１】
かかる構成により、カード片により確実に電気接点開閉機構の開閉動をつかさどることができ、しかも、コモンリード線を廃止することができる。
【発明の効果】
【００２２】
本発明に係る電磁継電器によれば、可動鉄片を略Ｌ字状を呈するように互いに一体に形成した鉄心動作受け片部と可動接触片揺動片部とにより構成し、鉄心動作受け片部を鉄心に対向配置すると共に、可動接触片揺動片部を可動接触片の揺動作を司るように配置して、鉄心の作動方向に対して交差する方向に可動接触片を揺動させて、電気接点開閉機構の開閉動を行うように構成したことから、可動接触片を電磁ソレノイド機構の鉄心の動作方向に並行に配置することができ、この結果、可動接触片における接続端子との接続端部側を、接続端子側に直接装着できる位置まで近接することができ、従来のコモンリード線を廃止して、可動接触片を接続端子に直接装着することができ、ベース及びケースが構成する収容部における省スペース化が可能となり、しかも、省スペース化した部分を利用して、電磁ソレノイド機構のコイル容量を大型化することができて、電気接点開閉機構の周囲温度が低い電磁継電器を設定することができ、また、コモンリード線の取付け工数をなくして生産性の向上を図って電磁継電器のコスト軽減が期待できる。
【発明を実施するための最良の形態】
【００２３】
本発明の実施の形態を、図１乃至図７を参照して詳述する。
【００２４】
図１は、本発明の実施の形態を採用した動作表示機能付き電磁継電器の外観を描画した斜視図、図２は図１におけるカバー体を透過して描画した斜視図、図３は同じく分解斜視図、図４は図１に示す電磁継電器の電磁ソレノイド機構の消磁状態におけるＡ−Ａ断面図、図５は図１に示す電磁継電器の電磁ソレノイド機構の励磁状態におけるＡ−Ａ断面図、図６は図１に示す電磁継電器の電磁ソレノイド機構の消磁状態における上面図、図７は図１に示す電磁継電器の電磁ソレノイド機構の励磁状態における上面図である。尚、以下の説明において、従来の技術に対応する部分については同符号を付して説明する。
【００２５】
この電磁継電器は、大略、ベース１に、電磁ソレノイド機構４、電気接点開閉機構３を設けて、ケース２を被せ、さらにケース２の上側にインジケータ片８を配置した構成になっている。
【００２６】
ベース１は、複数の接続端子１０を外部に突出させて設置する端子台１ａと端子台１ａの上に嵌合状態で配置されるベース基台１ｂとで構成している。
【００２７】
ベース基台１ｂの周部には、周部絶縁壁１ｃおよび周部絶縁壁１ｄに囲まれた内部に互いに間隙をおいて一対の内部絶縁壁１ｅが立設されている。
【００２８】
両内部絶縁壁１ｅは、ベース基台１ｂ上に３つの固定接点設置室１ｆを形成して、固定接点設置室１ｆには、それぞれ複数の常閉固定接触片３１及び常開固定接触片３２を配置している。
【００２９】
常閉固定接触片３１は、Ｌ字状に折曲形成されており、その上端側下面には固定接点３１ａが取付けられており、また、常開固定接触片３２も、Ｌ字状に折曲形成されており、その上端側上面には固定接点３２ａが取付けられて、常閉固定接触片３１及び常開固定接触片３２は、固定接点３１ａ及び３２ａ同士が対向するように、ベース基台１ｂに離間配置されている。
【００３０】
固定接点３１ａと固定接点３２ａとの間には、互いに略Ｌ字形に折曲構成された可動接触片３３の水平脚片３３ｂに取り付けられた可動接点３３ａが介在しており、可動接点３３ａは常時は常閉固定接触片３１側の固定接点３１ａに投入された状態になっている。
【００３１】
このために、可動接触片３３の垂直脚片３３ｃは、可動接点３３ａが取り付けられた水平脚片３３ｂがケース２に対して略水平に配置されるように、ベース基台１ｂに植設されている(図４及び図５参照)。
【００３２】
ベース基台１ｂの上部には、略逆Ｌ字形の電磁ソレノイド取付け片３４が配置されている。電磁ソレノイド取付け片３４は、それぞれ略矩形状を呈する水平片部３４ａと垂直片部３４ｂとを一体形成してなる。
【００３３】
水平片部３４ａの一辺側隅角部には、それぞれ略水平方向の係合突起３４ａ-１が突設されており、他辺隅角部にはそれぞれ下向きの引っ掛け片３４а-２が形成されている。
【００３４】
そして、各係合突起３４ａ―１をベース基台１ｂの一辺隅角部に形成した係合孔１ｂ-１に係合すると共に、ベース基台１ｂの対向側一辺隅角部に引っ掛け片３４ａ-２を引っ掛け等することにより、電磁ソレノイド取付け片３４はベース基台１ｂに取付けられている。
【００３５】
電磁ソレノイド取付け片３４の水平片部３４ａには、コイルを主体として構成して電磁力を発生する電磁ブロック４２が装着されており、電磁ブロック４２には、電磁ブロック４２の励磁及び消磁により可動鉄片４１を揺動できる鉄心４３が、設けられている。
【００３６】
鉄心４３の一端側は、電磁ソレノイド取付け片３４の垂直片部３４ｂに形成した抜き孔３４ｂ-１に摺動可能に嵌合されるようになっており、また、鉄心４３の他端側には、可動鉄片４１が対向配置されている。
【００３７】
可動鉄片４１は、略Ｌ字状に一体形成された略垂直上の鉄心対向片部４１ａと略水平状の可動接触片揺動片部４１ｂとで構成しており、鉄心対向片部４１ａが鉄心４３と対向しており、鉄心対向片部４１ａの下端両隅角部に設けた一対の係合段差部４１ａ-１が水平片部３４ａの係合突起３４ａ−１に係合することにより、ベース基台１ｂに対して、揺動可能に設けられている。
【００３８】
そして、可動鉄片４１は、一端が電磁ソレノイド取付け片３４に取着された板ばね４１ｃの他端側で付勢されて、常時鉄心対向片部４１ａ側に揺動するように付勢されている。
【００３９】
さらに、可動鉄片４１の鉄心対向片部４１ａの遊端側には、例えば赤色樹脂材料により形成されたインジケータ片８が直接装着されている。
【００４０】
即ち、インジケータ片８は、上面を視認部８ａを構成すべく略水平は位置された表示片８ｂと表示片８ｂに対して下向きに延在する一対の取付け脚片８ｃとを有して構成され、取付け脚片８ｃを、可動鉄片４１における鉄心対向片部４１ａの上端に突設した取付け突起４１ａ-２に係着することによって、可動鉄片４１に装着されている。
【００４１】
可動鉄片４１の可動接触片揺動片部４１ｂは、カード片４４を嵌合装着しており、カード片４４は、その下面に操作突起４４ａが形成され、操作突起４４ａは、板ばね４１ｃの付勢力により、常時可動接触片３３に弾接している。
【００４２】
ケース２は、ベース１に配置された電磁ソレノイド機構４および電気接点開閉機構３等を覆った後、互いに対向する側壁に形成した一対の下端係合部２ｂを端子台１ａに形成した一対の係合突起１ａ―１に係合することによって、ベース１に組み付けられている。
【００４３】
以上のように構成する場合、図４及び図６に示すように、電磁ソレノイド機構４の電磁ブロック４２に電気が投入されていない消磁においては、可動鉄片４１は板ばね４１ｃの付勢力によって、ケース２の外側方向(図４では、左方向)に付勢されて揺動しており、カード片４４を介して可動接触片３３の可動接点３３ａを常閉固定接触片３１の固定接点３１ａ側に接続させている。
【００４４】
この電磁ソレノイド機構４の消磁状態から、電磁ブロック４２に電気を投入して励磁させると、鉄心４３が吸引して、可動鉄片４１をケース２の内側方向(図４においては右方向)に揺動させて、カード片４４が可動接触片３３上を図４の右方向に摺動し、この結果、可動接触片３３が図４において左回転方向に揺動して、可動接点３３ａを固定接点３１ａ側から常閉固定接触片３２側の固定接点３２ａに接続させることになる(図５および図７に示す状態)。
【００４５】
この時、可動鉄片４１の揺動によって、インジケータ片８が電磁ブロック４２側に揺動することになり、表示片８ｂの視認部８ａがケース２の上面部２ａに透明に形成した表示窓９に対向することになって、表示窓９から、視認部８ａの赤色が視認できるように顕出して、電磁継電器の作動状態をケース２の外部から観察することができることになる。
【００４６】
ケース２の上面部２ａには、インジケータ片の視認部８ａを透過視認可能とする表示窓９が形成されている。そして、表示窓９は、ケース２の上面部２ａにおける表面好ましくは内表面の所定範囲に黒色塗装或いはシボ加工等を施した略中央部の透明部分において構成されているものであり、したがって、表示窓９を囲繞するように、ケース２の上面部２aに施した黒色塗装或いはシボ加工等よって不透明領域部２ｃが形成されていることになる。
【００４７】
以上のように構成した場合、可動鉄片４１を略Ｌ字状を呈するように互いに一体に形成した略垂直状の鉄心対向片部４１ａと略水平状の可動接触片揺動片部４１ｂとにより構成し、鉄心対向片部４１ａを鉄心に対向配置すると共に、可動接触片揺動片部４１ｂが可動接触片３３の揺動作を司るべくカード片４４を嵌合配置して、鉄心４３の作動方向に対して交差する方向に可動接触片３３を揺動させて、電気接点開閉機構３の開閉動を行うように構成したことから、可動接触片３３を電磁ソレノイド機構４の鉄心４３の動作方向に並行に配置することができ、この結果、可動接触片３３における接続端子１０との接続端部側を、接続端子１０側に直接装着できる位置まで近接することができ、従来のコモンリード線７を廃止して、可動接触片３３を接続端子１０に直接装着することができ、ベース１及びケース２が構成する収容部における省スペース化が可能となり、しかも、省スペース化した部分を利用して、電磁ソレノイド機構４のコイル容量を大型化することができて、コイルの温度上昇が低い電磁継電器として構成することができ、また、コモンリード線７の取付け工数をなくして生産性の向上を図って電磁継電器のコスト軽減が期待できる。
【産業上の利用可能性】
【００４８】
本発明は、可動鉄片を略Ｌ字状を呈するように互いに一体に形成した鉄心対向片部と可動接触片揺動片部とにより構成し、鉄心対向片部を鉄心に対向配置すると共に、可動接触片揺動片部を可動接触片の揺動作を司るように配置して、鉄心の作動方向に対して交差する方向に可動接触片を揺動させて、電気接点開閉機構の開閉動を行うように構成したことから、可動接触片を電磁ソレノイド機構の鉄心の動作方向に並行に配置することができ、この結果、可動接触片における接続端子との接続端部側を、接続端子側に直接装着できる位置まで近接することができ、従来のコモンリード線を廃止して、可動接触片を接続端子に直接装着することができ、ベース及びケースが構成する収容部における省スペース化が可能となり、しかも、省スペース化した部分を利用して、電磁ソレノイド機構のコイル容量を大型化することができて、コイルの温度上昇が低い電磁継電器を設定することができ、また、コモンリード線の取付け工数をなくして生産性の向上を図って電磁継電器のコスト軽減が期待できるために、電磁ソレノイド機構の励磁或いは消磁により可動鉄片を駆動し、可動接触片及び固定接触片を有する電気接点開閉機構の開閉動作を行うように構成した等に好適であるといえる。
【図面の簡単な説明】
【００４９】
【図１】本発明の実施の形態を採用した動作表示機能付き電磁継電器の外観を描画した斜視図である。
【図２】図１におけるカバー体を透過して描画した斜視図である。
【図３】同じく分解斜視図である。
【図４】図１に示す電磁継電器の電磁ソレノイド機構の消磁状態におけるＡ−Ａ断面図である。
【図５】図１に示す電磁継電器の電磁ソレノイド機構の励磁状態におけるＡ−Ａ断面図である。
【図６】図１に示す電磁継電器の電磁ソレノイド機構の消磁状態における上面図である。
【図７】図１に示す電磁継電器の電磁ソレノイド機構の励磁状態における上面図である。
【図８】従来の電磁継電器におけるケースを一部透視して描画した斜視図である。
【図９】図８に示す電磁継電器の電磁ソレノイド機構の消磁状態におけるＢ−Ｂ断面図である。
【図１０】図８に示す電磁継電器の電磁ソレノイド機構の励磁状態おけるＢ−Ｂ断面図である。
【図１１】図８に示す電磁継電器の電磁ソレノイド機構の消磁状態における上面図である。
【図１２】図８に示す電磁継電器の電磁ソレノイド機構の励磁状態における上面図である。
【符号の説明】
【００５０】
２                ケース
３                電気接点開閉機構
４                電磁ソレノイド機構
４１              可動鉄片
４１ａ            鉄心対向片部
４１ｂ            可動接触片揺動片部
４３              鉄心
４４              カード片
【図１】
0004826299.tif 000002
【図２】
0004826299.tif 000003
【図３】
0004826299.tif 000004
【図４】
0004826299.tif 000005
【図５】
0004826299.tif 000006
【図６】
0004826299.tif 000007
【図７】
0004826299.tif 000008
【図８】
0004826299.tif 000009
【図９】
0004826299.tif 000010
【図１０】
0004826299.tif 000011
【図１１】
0004826299.tif 000012
【図１２】
0004826299.tif 000013